(57)【要約】【課題】墓前に設けられた香炉に入れて使用するのに好適な香炉皿に関し、線香が網体からこぼれ落ちにくくすると同時に、線香の燃焼で発生する煤で壁面が汚れることを抑制することができるようにする。【解決手段】上面が開放された筺体１０と、筺体１０の内部に収納される網状の網体２０とを備え、網体２０上に線香を寝かせて使用される香炉皿１であって、網体２０は谷状の傾斜部２０ａを有し、傾斜部２０ａの最底領域２０ｂは線香を寝かせる方向に延在するように形成されている。【選択図】図１
2012012841.tif 000002
【特許請求の範囲】
【請求項１】
上面が開放された筺体と、前記筺体の内部に収納される網状の網体とを備え、前記網体上に線香を寝かせて使用される香炉皿であって、
前記網体は谷状の傾斜部を有し、前記傾斜部の最底領域は前記線香を寝かせる方向に延在するように形成されている
ことを特徴とする、香炉皿。
【請求項２】
前記網体は前記筺体に対して着脱可能に構成されている
ことを特徴とする、請求項１に記載の香炉皿。
【請求項３】
前記筺体はガイドレール部を有し、
前記網体は前記ガイドレール部と嵌まり合う嵌合部を有し、前記嵌合部が前記ガイドレール部に沿ってスライドすることで前記筺体に対して着脱可能に構成されている
ことを特徴とする、請求項１または２に記載の香炉皿。
【請求項４】
前記筺体には取手が取り付けられている
ことを特徴とする、請求項１〜３のいずれか１項に記載の香炉皿。
【請求項５】
前記筺体の壁面には、前記筺体の内部と外部とを連通する空気孔が形成されている
ことを特徴とする、請求項１〜４のいずれか１項に記載の香炉皿。
【請求項６】
前記筺体の左右一対の側面と上面とを少なくとも覆うケーシングをさらに備え、
前記筺体は、前記ケーシングに対してスライド自在に前記ケーシングに係合している
ことを特徴とする、請求項１〜５のいずれか１項に記載の香炉皿。
【請求項７】
前記ケーシングの上面に沿ってスライド自在な屋根をさらに備えている
ことを特徴とする、請求項６に記載の香炉皿。
【請求項８】
前記屋根は、前記筺体の上方に開放可能に設けられている
ことを特徴とする、請求項７に記載の香炉皿。
【請求項９】
香炉に入れて使用される香炉皿であって、
前記屋根の壁面には、前記筺体を前記香炉に固定する固定部材が取り付けられている
ことを特徴とする、請求項７または８に記載の香炉皿。
【請求項１０】
前記筺体の表面はポリテトラフルオロエチレンで加工されている
ことを特徴とする、請求項１〜９のいずれか１項に記載の香炉皿。
【発明の詳細な説明】
【技術分野】
【０００１】
本発明は香炉皿に関し、特に、墓前に設けられた香炉に入れて使用するのに好適であるが、墓前に香炉がない場合でも、墓前以外でも使用できるものである。
【背景技術】
【０００２】
一般に、墓前には前部が開口した石材製の香炉が設置されており、線香を寝かせた香炉皿を香炉に入れて墓参りをすることが行われている。香炉皿としては例えば、図１４にその断面図を示すように、上面が開口した筺体３１０と筺体３１０に収納される網３２０とを備えた香炉皿３００が知られている。前記の網３２０は平らに形成されて、線香をその上に寝かせられるようになっている。例えば特許文献１には、石材製の香炉に替えて使用される、ステンレスなどの金属板で形成された本体ケースと平らな形状の金網とを備えた香炉が開示されている。
【先行技術文献】
【特許文献】
【０００３】
【特許文献１】特開２００７−２４７１４６号公報
【発明の概要】
【発明が解決しようとする課題】
【０００４】
しかしながら、平らな形状の網に線香を寝かせると線香の位置は一定せず、図１４に示すように特に複数本の線香を寝かせた際にはそれら線香が網上でばらばらに広がりやすい。そのため、一部の線香は網体からこぼれ落ち、また一部は筺体の壁面に近づき、線香が燃えることで生じる煤等で壁面が汚れやすいという課題がある。
【０００５】
本発明は、斯かる実情に鑑み、線香が網体からこぼれ落ちにくくすると同時に、壁面が煤で汚れることを抑制することができるようにした香炉皿を提供することを目的とする。
【課題を解決するための手段】
【０００６】
上記目的を達成するため、本発明の香炉皿は、上面が開放された筺体と、前記筺体の内部に収納される網状の網体とを備え、前記網体上に線香を寝かせて使用される香炉皿であって、前記網体は谷状の傾斜部を有し、前記傾斜部の最底領域は前記線香を寝かせる方向に延在するように形成されていることを特徴としている。
【０００７】
なお、前記網体は前記筺体に対して着脱可能に構成されていることが好ましい。また、前記筺体はガイドレール部を有し、前記網体は前記ガイドレール部と嵌まり合う嵌合部を有し、前記嵌合部が前記ガイドレール部に沿ってスライドすることで前記筺体に対して着脱可能に構成されていることが好ましい。
【０００８】
また、前記筺体には取手が取り付けられていることが好ましい。また、前記筺体の壁面には、前記筺体の内部と外部とを連通する空気孔が形成されていることが好ましい。
【０００９】
また、前記筺体の左右一対の側面と上面とを少なくとも覆うケーシングをさらに備え、前記筺体は、前記ケーシングに対してスライド自在に前記ケーシングに係合していることが好ましい。このとき、前記ケーシングの上面に沿ってスライド自在な屋根をさらに備えていることが好ましい。また、前記屋根は、前記筺体の上方に開放可能に設けられていることが好ましい。
【００１０】
また、香炉に入れて使用される香炉皿であって、前記屋根の壁面には、前記筺体を前記香炉に固定する固定部材が取り付けられていることが好ましい。また、前記筺体の表面はポリテトラフルオロエチレンで加工されていることが好ましい。
【発明の効果】
【００１１】
本発明の香炉皿によれば、網体の上に置かれた線香は転がって谷状の傾斜部の底部に自然と集まるので、線香が網体からこぼれ落ちにくく、また、線香は壁面から離れることになり、壁面が煤で汚れることを抑制することができる。
【００１２】
また、本発明の香炉皿が汚れても、網体が筺体に対して着脱可能に構成されていれば、網体と筺体とを個別に清掃することができるので清掃性が向上するという利点がある。このとき、スライド式に着脱可能に構成されていれば、スムーズに着脱することができるという利点がある。
【００１３】
また、筺体に取手が取り付けられていれば、本発明の香炉皿の持ち運びが容易となり、特に、香炉皿を墓前に設けられた香炉に出し入れする際に、出し入れが容易になるという利点がある。
【００１４】
また、筺体に空気孔が形成されていれば、空気孔を通して空気を流通させて線香の燃焼を支援することができるとともに、空気孔を排水孔としても機能させて清掃性をより向上させることができる。
【００１５】
また、筺体の左右一対の側面と上面とを少なくとも覆うケーシングをさらに備えていれば、網体上の線香をケーシングで覆うことができるので、降雨時や強風時にも線香の火が消えにくいという利点がある。さらに、筺体がケーシングに対してスライド自在にケーシングに係合していれば、筺体をケーシングから引き出して容易に清掃することができるという利点がある。
【００１６】
また、ケーシングの上面に沿ってスライド自在な屋根をさらに備えていれば、屋根をケーシングの前方に引き出すことで屋根がひさしとして筺体を覆うことが可能となり、降雨時や強風時にも線香の火がより消えにくいという利点がある。
【００１７】
また、屋根が筺体の上方に開放可能に設けられていれば、屋根の開放構造を簡素にすることができる。
【００１８】
また、屋根の壁面に固定部材が取り付けられていれば、本発明の香炉皿を香炉にしっかりと固定することができ、香炉皿の設置安定性が向上するという利点がある。
【００１９】
また、筺体の表面がポリテトラフルオロエチレンで加工されていれば、筺体の表面に煤が付きにくく、たとえ煤が付いたとしても容易に取り除くことができて清掃性がより向上するという利点がある。
【図面の簡単な説明】
【００２０】
【図１】本発明の第１実施形態に係る香炉皿をその幅方向中心線で切断した模式的な断面図である。
【図２】本発明の第１実施形態に係る香炉皿の模式的な斜視図であって、その網体を筺体から側方に引き出している状態を示している。
【図３】本発明の第１実施形態に係る香炉皿の模式的な底面図である。
【図４】本発明の第１実施形態に係る香炉皿の模式的な斜視図であって、その網体上に火のついた線香を寝かせて使用している状態を示している。
【図５】本発明の第１実施形態に係る香炉皿を一般的な墓前の香炉に入れて使用している状態を示す模式的な正面図である。
【図６】（ａ），（ｂ）ともに、本発明の第１実施形態の変形例１に係る香炉皿の模式的な断面図である。
【図７】（ａ）〜（ｃ）のいずれも本発明の第１実施形態の変形例２に係る香炉皿の模式的な断面図であり、（ａ）は網体のＶ字谷状傾斜部の最底領域が前寄りに位置している例を示し、（ｂ）は網体のＶ字谷状傾斜部の最底領域が後寄りに位置している例を示し、（ｃ）は網体の傾斜部が湾曲した谷状に形成されている例を示している。
【図８】本発明の第２実施形態に係る香炉皿の模式的な斜視図である。
【図９】本発明の第２実施形態に係る香炉皿の側面図であって、屋根をケーシングから前方に引き出した状態を示している。
【図１０】本発明の第２実施形態に係る香炉皿の側面図であって、筺体をケーシングから前方に引き出した状態を示している。
【図１１】本発明の第３実施形態に係る香炉皿の模式的な斜視図である。
【図１２】本発明の第３実施形態に係る香炉皿の側面図であって、屋根が取り付けられた筺体をケーシングから前方に引き出した状態を示している。
【図１３】本発明の第３実施形態に係る香炉皿の側面図であって、屋根が開いた状態を示している。
【図１４】従来技術に係る香炉皿の模式的な斜視図であり、平らな網の上に線香が載っている状態を示している。
【発明を実施するための形態】
【００２１】
以下、図面により本発明の香炉皿の実施の形態について説明する。本発明の香炉皿は、図５に示すような墓前の石材製の香炉２に入れて線香を供えるのに好適に使用されるものである。ただし、香炉２に入れずに使用しても良い。
【００２２】
［第１実施形態］
＜構成＞
第１実施形態の香炉皿１は、図１に示すように、筺体１０と筺体１０の内部に収納される網体２０とを備えている。
【００２３】
（筺体の構成）
筺体１０は金属板で構成され、図２に示すように、矩形状乃至は略矩形状の底壁１０ａと、底壁１０ａの４辺のうちの任意の側方の１辺（ここでは左側の１辺とする）を除く３辺からそれぞれ立設した３つの側壁（正面壁１０ｂ、背面壁１０ｃ、右側面壁１０ｄ）とを有している。筺体１０の上面および左側面は開放されている。ただし、筺体１０の左側面は後述する網体２０を支持する支持体２２で閉鎖される。
【００２４】
なお、筺体１０は上面の全面を開放する構成に限らず、線香を供えるのに適した大きさの開口部が上面に形成されていれば良い。また、筺体１０は右側面壁１０ｄに替えて左側面壁を有し、右側面が開放された構成となっていても良い。ただし、この場合にも、筺体１０の右側面は網体２０を支持する支持体２２で閉鎖されるようにする。つまり、左右のいずれか一方の側面が開放され、開放された側面を網体２０の支持体２２が閉鎖するようになっていれば良い。
【００２５】
底壁１０ａの外面には左右一対の脚部１１が取り付けられている。脚部１１は、図１および図３に示すように筺体１０の前後方向（奥行方向）に延びており、香炉皿１の全重量を支持している。なお、脚部１１の構成はこれに限定されず、例えば底壁１０ａの４隅に上下方向に延びる棒状の脚部１１を取り付けるようにしても良い。また、必ずしも脚部１１を設けなくても良い。
【００２６】
正面壁１０ｂの外面には、図２に示すように取手１２が取り付けられている。香炉皿１の使用者はこの取手１２を掴んで香炉皿１を香炉２に対して容易に出し入れすることが可能となっている。なお、取手１２はここでは中空の丸管を湾曲して形成した形状に構成されているが、取手１２の構成はこれに限定されない。また、必ずしも取手１２を設けなくても良い。
【００２７】
また、図１〜図３に示すように、正面壁１０ｂ、背面壁１０ｃおよび右側面壁１０ｄの下部に、筺体１０の内部と外部とを連通する空気孔１３が複数形成されている。この複数の空気孔１３は、各側壁１０ｂ，１０ｃ，１０ｄから底壁１０ａの周縁部に亘って形成されている。つまり、底壁１０ａにも空気孔１３が形成されていることになる。
【００２８】
なお、図２および図４においては、正面壁１０ｂおよび背面壁１０ｃそれぞれの下部には１１個の楕円状の空気孔１３が形成され、右壁面１０ｄの下部には５個の楕円状の空気孔１３が形成された構成を示しているが、各側壁１０ｂ，１０ｃ，１０ｄの空気孔１３の個数や形状は図示した構成に限定されない。また、空気孔１３はここでは底壁１０ａの周縁部にまで延びているが、底壁１０ａにまで延びることなく各側壁１０ｂ，１０ｃ，１０ｄにのみ空気孔１３が形成されていれば良い。また、ここでは３つの側壁１０ｂ，１０ｃ，１０ｄの全てに空気孔１３が形成されているが、少なくとも１つの側壁１０ｂ，１０ｃ，１０ｄに空気孔１３が形成されていれば良い。
【００２９】
正面壁１０ｂおよび背面壁１０ｃそれぞれの内面の上部には、互いに対向するガイドレール部１４ｂ，１４ｃが形成されている。ここでは、正面壁１０ｂおよび背面壁１０ｃそれぞれの上縁部を鉤状に屈曲させることでガイドレール部１４ｂ，１４ｃが形成されている。ただし、ガイドレール部１４ｂ，１４ｃの形状はこれに限定されない。例えば、正面壁１０ｂおよび背面壁１０ｃそれぞれの内面の上部に、筺体１０の幅方向（長手方向）に沿って延びるリップ溝形のレール部材を取り付けることで、ガイドレール部１４ｂ，１４ｃが形成されていても良い。
【００３０】
右側面壁１０ｄの上縁部は、ガイドレール部１４ｂ，１４ｃを構成するものではないが、審美性を高めるために、正面壁１０ｂおよび背面壁１０ｃの上縁部と同様に内側に鉤状に屈曲している。
【００３１】
（網体の構成）
網体２０は、図１に示すように、矩形状乃至は略矩形状の平網を断面形状がＭ字状になるように折り曲げて形成されている。つまり、網体２０は、Ｖ字谷状の傾斜部２０ａを有するように形成されている。網体２０は寝かせた線香を支持するものであり、傾斜部２０ａのＶ字谷の最底領域２０ｂが延びる方向は線香を寝かせる方向に一致する。また、網体２０のＭ字の一対の脚の部分（以下、脚部２０ｃという）は下端部が内側に折り曲げられて、足部２０ｄが形成されている。また、傾斜部２０ａの最底領域２０ｂの位置は、網体２０ひいては筺体１０の前後方向中心線に一致している。
【００３２】
網体２０は、例えばステンレス鉄線等の金属製の網を編んで網状に構成されていることが好ましいが、網体２０の材質は特に限定されない。
【００３３】
そして、傾斜部２０ａと脚部２０ｃとの境界部分（連結部分）は、ガイドレール部１４ｂ，１４ｃに嵌る嵌合部２０ｅとなっている。この嵌合部２０ｅがガイドレール部１４ｂ，１４ｃに沿って筺体１０の幅方向にスライドし、筺体１０の開放された側面（ここでは左側面）から引き出されることで、網体２０が筺体１０に対して着脱可能に構成されている。
【００３４】
なお、嵌合部２０ｅの形状はガイドレール部１４ｂ，１４ｃの形状に合わせて適宜に変更されることが好ましい。例えば、ガイドレール部１４ｂ，１４ｃがリップ溝型で形成された場合、嵌合部２０ｅはリップ溝に嵌まるＴ字状に形成されていることが好ましい。
【００３５】
網体２０の左右の側端部には、網体２０を支持する支持体２１，２２がそれぞれ設けられている。各支持体２１，２２は金属板で形成されている。特に、左側の支持体２２は、筺体１０の開放された左側面を閉じる機能を果たすべく、筺体１０の右側面壁１０ｄと同様に構成されている。つまり、支持体２２は、上縁部が内側に鉤状に屈曲した壁面を有している。
【００３６】
＜作用・効果＞
本発明の第１実施形態に係る香炉皿は上述のように構成されているので、以下のような作用および効果を奏する。
【００３７】
網体２０がＶ字谷状の傾斜部２０ａを有するように形成されているので、網体２０上に置かれた線香は傾斜部２０ａの最底領域２０ｂに向かって転がり、線香の位置を網体２０の前後方向中心の位置に規定することができる。そのため、線香が網体２０からこぼれ落ちにくく、特に複数本の線香を供える場合には、図４に示すように前後方向中心に線香が自然と集まった状態とすることができる。この結果、複数本の線香が１箇所に集まっているので、互いの線香が燃焼を補強し合い、例えば強風時や降雨時にも線香の火が弱まらずに燃焼性が向上するという利点がある。この燃焼時には空気孔１３を通して空気を流通させて燃焼を支援する。また、筺体１０の背面壁１０ｃから線香の燃焼部分が離れるので、筺体１０の背面壁１０ｃひいては香炉２の奥部が煤等で汚れることを抑制することができる。また、線香がばらばらに広がらないので、美観が向上するという利点がある。
【００３８】
また、網体２０の嵌合部２０ｅを筺体１０のガイドレール部１４ｂ，１４ｃに沿ってスライドさせて網体２０を筺体１０から取り外すことができるので、網体２０を筺体１０に対してスムーズに取り外すことができ、また、香炉皿１の清掃性が向上するという利点がある。このとき、空気孔１３を排水孔として機能させることができるので、この点でも清掃性が向上する。
【００３９】
また、空気孔１３は各側壁１０ｂ，１０ｃ，１０ｄから底壁１０ａの周縁部に亘って形成されているので、１つの空気孔１３が２面に面していることになり、線香の燃焼時には効率良く空気を流通させることができるとともに、空気孔１３が下面と角部とに位置することから、洗浄時には空気孔１３から効率良く排水することができる。
【００４０】
また、筺体１０には取手１２が取り付けられているので、香炉皿１の持ち運びが容易となり、特に香炉皿１を香炉２に対して出し入れする際に、使用者は取手１２を掴んで容易に出し入れすることができる。
【００４１】
（変形例１；網体の着脱可能な構成の変形）
網体２０を筺体１０に対して着脱可能にする構成は、スライド式ではなく、筺体１０の上面から単純に網体２０を取り外しできる構成としても良い。つまり、上述のように、筺体１０にガイドレール部１４ｂ，１４ｃを設けたり網体２０に嵌合部２０ｅを設けたりすることなく、図６（ａ），（ｂ）に示すように、筺体１０′の上縁部に引っ掛かり係止する係止部２３′を網体２０′に設けるような構成としても良い。この場合、筺体１０′は底壁と前後左右の４つの側壁とを備えて、筺体１０′の上方から網体２０′を取り外しするようにする。
【００４２】
つまり例えば、図６（ａ）に示すように、断面Ｌ字状に屈曲した金属板によって網体２０′とは別体に係止部２３′を形成し、この係止部２３′を網体２０′に取り付けるようにしても良い。あるいは例えば、図６（ｂ）に示すように、網体２０′の上部を折り曲げて係止部２３′を形成するようにしても良い。なお、係止部２３′の構成や筺体１０′の構成は図６（ａ），（ｂ）に示すものに特に限定されない。
【００４３】
また、網体２０，２０′を着脱可能に構成せずに、網体２０，２０′が筺体１０，１０′に固定されていても良い。
【００４４】
（変形例２；網体の傾斜部の変形）
また、前述の網体２０，２０′の傾斜部２０ａ，２０ａ′の最底領域２０ｂ，２０ｂ′の位置は、網体２０，２０′ひいては筺体１０，１０′の前後方向中心線に一致しているが、図７（ａ）に示すように最底領域２０ｂ″の位置を前寄りにずらした傾斜部２０ａ″としても良いし、図７（ｂ）に示すように後寄りにずらした傾斜部２０ａ″としても良い。また、図７（ａ），（ｂ）に示すように、傾斜部２０ａ″の勾配や高さを前側と後側とで変更しても良い。
【００４５】
また、前述の網体２０，２０′，２０″の傾斜部２０ａ，２０ａ′，２０ａ″の断面形状はＶ字谷状に形成されているが、図７（ｃ）に示すように、傾斜部２０ａ″の断面形状が孤状に湾曲して形成された網体２０″であっても良い。この湾曲した傾斜部２０ａ″の最底領域２０ｂ″の位置は、図７（ｃ）に示すように網体２０″の前後方向中心線に一致していても良いし、前後方向にずれていても良い。つまり、網体２０，２０′，２０″は、少なくとも谷状の傾斜部を有して形成されていれば良く、傾斜の形状（直線形状，曲線形状）や角度は特に限定されない。
【００４６】
［第２実施形態］
次に、第２実施形態の香炉皿について図８〜図１０を用いて説明する。
＜構成＞
第２実施形態の香炉皿１００は、図８に示すように、筺体１１０と、筺体１１０の内部に収納される網体１２０（図９および図１０参照）と、筺体１１０を内部に収納するケーシング１３０と、筺体１１０および網体１２０を上方から覆う屋根１４０とを備えている。つまり、筺体１１０を内箱とし、ケーシング１３０を外箱として網体１２０を収納するようになっている。なお、図８においては網体１２０の図示を省略する。
【００４７】
（筺体の構成）
筺体１１０は金属板で構成され、矩形状乃至は略矩形状の底壁と、底壁の４辺からそれぞれ立設した４つの側壁（正面壁、背面壁、右側面壁、左側面壁）とを有している。筺体１１０の上面は開放されている。
【００４８】
正面壁の外面には取手１１２が取り付けられている。香炉皿１００の使用者はこの取手１１２を掴んで香炉皿１００をケーシング１３０に対して容易に出し入れすることが可能となっている。なお、取手１１２の構成は図示したものに限定されない。また、必ずしも取手１１２を設けなくても良い。
【００４９】
正面壁、右側面壁および左側面壁の下部にはそれぞれ、少なくとも１つの空気孔１１３が形成されている。図８に正面壁に形成された空気孔１１３を示す。各側壁の空気孔１１３の個数や形状は適宜に設定されると良い。
【００５０】
（網体の構成）
網体１２０は、第１実施形態の網体２０と同様に、図９および図１０に示すように、矩形状乃至は略矩形状の平網を断面形状がＭ字状になるように折り曲げて形成されている。つまり、網体１２０は、Ｖ字谷状の傾斜部１２０ａを有するように形成されている。傾斜部１２０ａのＶ字谷の最底領域１２０ｂが延びる方向は線香を寝かせる方向に一致しているとともに、傾斜部１２０ａの最底領域１２０ｂの位置は、網体１２０ひいては筺体１１０の前後方向中心線に一致している。
【００５１】
なお、網体１２０は少なくとも谷状の傾斜部１２０ａを有するように形成されていれば良く、図６および図７に示す網体２０′，２０″のように適宜に変形可能である。また、網体１２０は筺体１１０の内部に固定されていても良いし、着脱可能に構成されていても良い。
【００５２】
（ケーシングの構成）
ケーシング１３０は、筺体１１０をその内部に収容するように構成された金属製の箱状の部材であって、矩形状乃至は略矩形状の底壁と、底壁の前辺以外の３辺からそれぞれ立設した３つの側壁（背面壁、右側面壁、左側面壁）と、天井壁とを有しており、前面が開放されている。つまり、ケーシング１３０は、筺体１１０の左右一対の側面と上面とを少なくとも覆うように構成されている。
【００５３】
右側面壁および左側面壁の内面には、図８に示すように、筺体用ガイドレール部１３１が形成されている。筺体用ガイドレール部１３１は、右側面壁および左側面壁の内面それぞれに前後方向に延びる長尺の断面略Ｌ字部材を取り付けることで、下向きに開口する溝をなすように形成されている。
【００５４】
筺体１１０は、その右側面壁および左側面壁の上縁部が筺体用ガイドレール部１３１に嵌まってケーシング１３０に係合した状態でケーシング１３０の内部に収容されている。そして、前記上縁部を筺体用ガイドレール部１３１に沿ってスライドさせて、ケーシング１３０の内部に収容された筺体１１０を前方に引き出し、取り外すことが可能になっている。なおここでは、筺体１１０の左右の側面壁の上縁部と筺体用ガイドレール部１３１とによって筺体１１０をケーシング１３０からスライド式に着脱する構成が形成されているが、筺体１１０をケーシング１３０からスライド式に着脱する構成はこれに限定されない。
【００５５】
右側面壁および左側面壁の外面には屋根用ガイドレール部１３２が形成されている。屋根用ガイドレール部１３２は、右側面壁および左側面壁の外面それぞれに前後方向に延びおる長尺の断面略Ｌ字部材を取り付けることで、上向きに開口する溝をなすように形成されている。また、屋根用ガイドレール部１３２を構成するＬ字部材のガイド面１３２ａには前後方向に延びるスリット１３２ｂが形成されている。このスリット１３２ｂには、後述するように、屋根１４０に設けられた突起１４１がスライド可能に挿入される。
【００５６】
天井壁の外面には、ネジ状の突起（固定部材）１３３が設けられている。突起１３３は本実施形態の香炉皿１００を図５に示すような香炉２に固定するための固定手段であって、ネジを回して突起１３３の突出量を増減させることで、香炉２にしっかりと固定することができるようになっている。なお、香炉皿１００を香炉２に固定する固定部材の構成はネジ状の突起１３３に限定されず、突起１３３を例えばバネ状の突起に替えても良い。また、固定部材は天井壁以外の壁面に設けられていても良いし、必ずしも設けなくても良い。
【００５７】
また、天井壁の外面は、前縁部が他の部分よりも高くなる段差形状に形成されている。この段差形状は、例えば薄板１３０ａを適宜の接着手段（例えば溶接や接着剤による接着）で天井壁の前縁部に接着することによって形成されていれば好ましい。または、天井壁の外面に前記段差形状が形成されるように天井壁が予め成型されていても良い。これによって、降雨時に香炉皿１００を使用する際に雨は後縁部や側縁部から流れ落ちて、ケーシング１３０の内部に収容された筺体１１０の中に天井壁を伝って雨が入り込むことを防止することが可能となる。
【００５８】
なお、天井壁の外面は、特に図示しないが、前縁部と左右の側縁部とが他の部分よりも高くなる段差形状に形成されていても良い。つまり、天井壁の外面は少なくとも前縁部が他の部分よりも高くなる段差形状に形成されていれば、雨が天井壁を伝って筺体１１０の中に入り込むことを防止することができる。また、天井壁を段差形状で形成することに加えて、天井壁が前側から後側に向かって下り勾配で傾斜するように形成していれば、雨が天井壁の後縁部からより流れ落ちやすくなって好ましい。
【００５９】
また、背面壁には、特に図示しないが、空気孔として機能する開口部が設けられていても良い。
【００６０】
（屋根の構成）
屋根１４０は、ケーシング１３０の天井壁ならびに右側面壁および左側面壁に沿うように、断面形状が下向きに開口するコ状に形成されてケーシング１３０を覆っている。屋根１４０は、ケーシング１３０の天井壁に対向する主面１４０ａと、ケーシング１３０の右側面壁および左側面壁にそれぞれ対面する一対のガイド面１４０ｂとを有している。また屋根１４０は、筺体１１０やケーシング１３０と同様に金属製であることが好ましい。
【００６１】
ガイド面１４０ｂにはガイド用の突起１４１が取り付けられている。そして、ガイド面１４０ｂの下端部が屋根用ガイドレール部１３２の溝に嵌まるとともに突起１４１が屋根用ガイドレール部１３２のスリット１３２ｂ内を前後方向にスライドして、屋根１４０をケーシング１３０の前方に引き出すことができるようになっている。このとき屋根１４０は、ケーシング１３０の天井壁（上面）に沿ってスライドする。なおここでは、屋根用ガイドレール部１３２と突起１４１とによって屋根１４０をケーシング１３０の前方にスライド式に引き出す構成が形成されているが、その構成はここに記載したものに限定されない。
【００６２】
主面１４０ａは、その後部に突起１３３を回避するための切り欠き１４０ｃが設けられているとともに、前部には取手１４２が取り付けられている。取手１４２は、屋根１４０を前方に引き出す際に使用者が掴むために設けられている。なお、取手１４２は必ずしも設けられていなくても良い。
【００６３】
＜作用・効果＞
本発明の第２実施形態に係る香炉皿は上述のように構成されているので、以下のような作用および効果を奏する。
【００６４】
網体１２０が谷状の傾斜部１２０ａを有するように形成されているので、第１実施形態の香炉皿１と同様に、網体１２０上の線香の位置を前後方向中心の位置に規定することができる。そのため、線香が網体１２０からこぼれ落ちにくく、特に複数本の線香を供える場合には前後方向中心の１箇所に線香が集まった状態とすることができる。この結果、複数本の線香が１箇所に集まっているので、互いの線香が燃焼を補強し合い、例えば強風時や降雨時にも線香の火が弱まらずに燃焼性が向上するという利点がある。この燃焼時には空気孔１１３を通して空気を流通させて燃焼を支援する。また、筺体１１０の背面壁から線香の燃焼部分が離れるので、筺体１１０の背面壁が煤等で汚れることを抑制することができる。さらに、筺体１１０はケーシング１３０で囲繞されているので、香炉２に香炉皿１００を入れて使用する際にも香炉２が煤等で汚れないという利点がある。また、線香が網体１２０上でばらばらに広がらないので、美観が向上するという利点がある。
【００６５】
また、網体１２０ごと筺体１１０をケーシング１３０の筺体用ガイドレール部１３１に沿ってスライドさせてケーシング１３０から取り外すことができるので、香炉皿１００の清掃性が向上するという利点がある。このとき、空気孔１１３を排水孔として機能させることができるので、この点でも清掃性が向上するという利点がある。さらに、網体１２０を筺体１１０から取り外し可能に構成していれば、香炉皿１の清掃性がさらに向上するという利点がある。
【００６６】
また、筺体１１０と網体１２０とはケーシング１３０で覆われているので、強風時や降雨時に網体１２０に風や雨が吹き込むことを抑制し、風や雨で線香の火が消えることを抑制することができる。さらに、屋根１４０が前方に移動可能に設けられているので、線香を供えているときに屋根１４０を引き出していれば、屋根１４０がひさしとして機能して強風や降雨対策に高い威力を発揮することができる。
【００６７】
また、ケーシング１３０の天井壁に突起１３３が設けられているので、本香炉皿１００を香炉２にしっかりと固定することができ、香炉皿１００の設置安定性が向上するという利点がある。
【００６８】
また、ケーシング１３０の天井壁の外面の前縁部と左右の側縁部とが他の部分よりも高くなる段差形状に形成されているので、降雨時に香炉皿１００を使用する際に雨は後縁部から流れ落ちることとなり、ケーシング１３０の内部に収容された筺体１１０の中に天井壁を伝って雨が入り込むことを防止することができる。
【００６９】
また、ケーシング１３０の背面壁に空気孔として機能する開口部が設けられていれば、筺体１１０をケーシング１３０の内部に収容した状態で線香を供える場合、筺体１１０の左右の側面壁１１０に形成された空気孔１１３はケーシング１３０の左右の側面壁で閉鎖されるものの、筺体１１０の正面壁１１０に形成された空気孔１１３とケーシング１３０の背面壁に形成された空気孔とで空気の前後方向の流れが形成されて、線香の燃焼を支援することができる。
【００７０】
［第３実施形態］
次に、図１１〜図１３を用いて第３実施形態の香炉皿について説明する。
＜構成＞
本実施形態の香炉皿２００は、図１１に示すように、筺体２１０と、筺体２１０の内部に収納される網体２２０（図１２および図１３参照）と、筺体２１０および網体２２０を上方から覆う屋根２３０と、筺体２１０、網体２２０および屋根２３０を内部に収納するケーシング２４０と、を備えている。なお、図１１においては網体２２０の図示を省略する。
【００７１】
（筺体の構成）
筺体２１０は金属板で構成され、矩形状乃至は略矩形状の底壁と、底壁の４辺からそれぞれ立設した４つの側壁（正面壁、背面壁、右側面壁、左側面壁）とを有している。筺体２１０の上面は開放されている。また、筺体２１０の正面壁には、幅方向に延在する細長い開口部２１１が形成されている。この開口部２１１は、空気孔や排水孔として機能するとともに、後述するように筺体２１０をケーシング２４０から引き出す際の引き手として機能する。
【００７２】
また、筺体２１０の左右の側面壁にはそれぞれ、図１２および図１３に示すように、前後方向に延在する直線形状のスリット２１２が形成されている。
【００７３】
（網体の構成）
網体２２０は第１実施形態の網体２０と同様に形成されている。つまり、Ｖ字谷状の傾斜部２２０ａを有し、なお且つ傾斜部２２０ａのＶ字谷の最底領域２２０ｂが延びる方向が線香を寝かせる方向に一致するように形成されている。
【００７４】
なお、網体２２０は少なくとも谷状の傾斜部２２０ａを有するように形成されていれば良く、図６および図７に示す網体２０′，２０″のように適宜に変形可能である。また、網体２２０は筺体２１０の内部に固定されていても良いし、着脱可能に構成されていても良い。
【００７５】
（屋根の構成）
屋根２３０は金属板で構成され、筺体２１０の上面を開閉可能に筺体２１０に取り付けられている。ここでは屋根２３０は、筺体２１０の上面を覆う矩形状乃至は略矩形状の主壁と、主壁の４辺それぞれから下方に延びる４つの側壁とを有している。そして、屋根２３０の左右の側壁と筺体２１０の左右の側壁とが互いにボルト（揺動部材）２５１で連結されている。これによって、屋根２３０はボルト２５１の軸を回転中心として上下方向に揺動可能になっている。なお、屋根２３０を筺体２１０に取り付ける構成はこれに限らず、ボルト２５１を例えばピンやヒンジ等の部材に替えて、屋根２３０が筺体２１０の上面を開閉可能に屋根２３０を筺体２１０に取り付けても良い。
【００７６】
屋根２３０の左右の側壁にはそれぞれ、図１２および図１３に示すように、前後方向に延在するスリット２３１が形成されている。スリット２３１は、屋根２３０が筺体２１０の上面を閉じている状態で筺体２１０のスリット２１２に重なるような位置に形成されている。ただし、スリット２３１の後端部は、下方に向かって緩やかに湾曲傾斜した形状となっている。つまりスリット２３１は、直線形状の直線部２３１ａと湾曲形状の湾曲部２３１ｂとを有している。
【００７７】
（ケーシングの構成）
ケーシング２４０は、前面が開放された箱状に形成されている。ここでは、矩形状乃至は略矩形状の底壁と、底壁の前辺以外の３辺からそれぞれ立設した３つの側壁（背面壁、右側面壁、左側面壁）と、天井壁とを有している。そして、屋根２３０が取り付けられた筺体２１０を屋根２３０ごと前面から内部に収納可能になっている。つまり、ケーシング２４０は、筺体２１０の左右一対の側面と上面とを少なくとも覆うように構成されている。なお、ケーシング２４０は、筺体２１０や屋根２３０と同様に金属製であることが好ましい。
【００７８】
ケーシング２４０の天井壁は、図１１に示すように前端部が切り欠かれて切り欠き２４１が設けられた構成となっている。切り欠き２４１は、筺体２１０がケーシング２４０に部分的に収納された状態で屋根２３０が上方に開くことを妨害しないように設けられている。
【００７９】
ケーシング２４０は、ボルト２５２（スライド部材）によって筺体２１０に取り付けられている。ボルト２５２は、その軸部が筺体２１０のスリット２１２と屋根２３０のスリット２３１とに挿入されている。このようにケーシング２４０に対して筺体２１０が係わり合う構成によって、ボルト２５２の軸部がスリット２１２およびスリット２３１の直線部２３１ａ内をスライドすることで、筺体２１０が屋根２３０と一体になってケーシング２４０に対して前方に引き出し可能となっている。換言すれば、屋根２３０は筺体２１０とともにケーシング２４０の上面に沿ってスライドし、ケーシング２４０の前方に引き出されるようになっている。なお、ボルト２５２を例えばピンに替えても良い。
【００８０】
ケーシング２４０内に収納された筺体２１０を前方に引き出すと、ボルト２５２がスリット２１２およびスリット２３１の直線部２３１ａ内を移動する。そして、図１２に示すように、ボルト２５２がスリット２３１の直線部２３１ａの最後尾まで移動すると、図１３に示すように、ボルト２５２は続いてスリット２３１の湾曲部２３１ｂ内を移動する。このとき、ボルト２５２がスリット２３１の湾曲部２３１ｂ内を下方に移動するのに伴って、屋根２３０が上方へ持ち上がり、筺体２１０の上面を開放するようになる。
【００８１】
＜作用・効果＞
発明の第３実施形態に係る香炉皿は上述のように構成されているので、以下のような作用および効果を奏する。
【００８２】
網体２２０は、第１実施形態の香炉皿１と同様に谷状の傾斜部２２０ａを有するように形成されているので、網体２２０上の線香の位置を前後方向中心に規定することができ、線香が網体２２０からこぼれ落ちにくく、特に複数本の線香を供える場合には前後方向中心の１箇所に集めた状態とすることができる。この結果、複数本の線香が１箇所に集まっているので、互いの線香が燃焼を補強し合い、例えば強風時や降雨時にも線香の火が弱まらずに燃焼性が向上するという利点がある。この燃焼時には、筺体２１０の正面壁に設けられた開口部２１１を通して空気を流通させて燃焼を支援する。また、筺体２１０の背面壁から線香の燃焼部分が離れるので、筺体２１０の背面壁が煤等で汚れることを抑制することができる。さらに、筺体２１０はケーシング２４０で覆われているので、香炉２に香炉皿２００を入れて使用する際にも香炉２が煤等で汚れないという利点がある。また、線香が網体２２０上でばらばらに広がらないので、美観が向上するという利点がある。
【００８３】
また、筺体２１０と網体２２０とはケーシング２４０で覆われているので、強風時や降雨時に網体２２０に風や雨が吹き込むことを抑制し、風や雨で線香の火が消えることを抑制することができる。
【００８４】
また、香炉皿１００の清掃時には開口部２１１が排水孔として機能するので、清掃性が向上するという利点がある。そして、開口部２１１は、空気孔と排水孔と引き手という３つの機能を有しているので、１つの部分に３つの機能を持たせて香炉皿１００を簡素且つコンパクトに形成することができる。
【００８５】
［その他］
以上、本発明の実施形態について説明したが、本発明は、上記実施形態に限定されず、本発明の趣旨を逸脱しない範囲で種々変更することが可能である。
また、上記実施形態の各香炉皿１，１００，２００は、筺体１０，１１０，２１０の表面がポリテトラフルオロエチレンで加工されていればより好ましい。このように加工すれば、筺体１０，１１０，２１０の表面に煤が付きにくくなり、またたとえ煤が付いたとしても容易に取り除くことができ、清掃性が向上するという利点がある。
【符号の説明】
【００８６】
１，１００，２００  香炉皿
２  香炉
１０，１１０，２１０  筺体
１１  脚部
１２，１１２  取手
１３，１１３  空気孔
１４ｂ，１４ｃ  ガイドレール部
２０，１２０，２２０  網体
２０ａ，１２０ａ，２２０ａ  傾斜部
２０ｂ，１２０ｂ，２２０ｂ  最底領域
２０ｅ  嵌合部
２１，２２  支持体
１３０，２４０  ケーシング
１３１  筺体用ガイドレール部
１３２  屋根用ガイドレール部
１３３  突起（固定部材）
１４０，２３０  屋根
１４１  突起
１４２  取手
２１１  開口部（空気孔）
２１２  スリット
２３１  スリット
２４１  切り欠き
２５１  ボルト（揺動部材）
２５２  ボルト（スライド部材）
３００  香炉皿
３１０  筺体
３２０  網
【図１】
2012012841.tif 000003
【図２】
2012012841.tif 000004
【図３】
2012012841.tif 000005
【図４】
2012012841.tif 000006
【図５】
2012012841.tif 000007
【図６】
2012012841.tif 000008
【図７】
2012012841.tif 000009
【図８】
2012012841.tif 000010
【図９】
2012012841.tif 000011
【図１０】
2012012841.tif 000012
【図１１】
2012012841.tif 000013
【図１２】
2012012841.tif 000014
【図１３】
2012012841.tif 000015
【図１４】
2012012841.tif 000016